(57)【要約】【課題】制御盤などの試験結果を迅速かつ正確に記録し、試験結果を容易に管理することができるとともに、ペーパレス化を促進すること。【解決手段】本発明の総合インテリジェント試験進行管理システムは、試験対象を試験する手順を示した電子要領書７１を有するドキュメント管理データベース２と、ドキュメント管理データベース２内の電子要領書７１を読み出して表示するとともに、試験対象の試験結果を入力できる端末機１５とを備えている。建設所オフィス２０には、端末機１５と送受信することができ、端末機から入力された試験結果が自動的に保存される品質記録管理サーバ２２が設置されている。【選択図】図１
2008204379.tif 000002
【特許請求の範囲】
【請求項１】
試験対象を試験する手順を示した電子要領書を有するドキュメント管理データベースと、
ドキュメント管理データベース内の電子要領書を読み出して表示するとともに、試験対象の試験結果を入力できる端末機と、
端末機と送受信することができ、端末機から入力された試験結果が自動的に保存される品質記録管理サーバと、
を備えたことを特徴とする総合インテリジェント試験進行管理システム。
【請求項２】
ドキュメント管理データベースは、試験対象の測定箇所、測定箇所に対応した基準値、および基準値から所定の数値範囲内にある判定値に関する情報を有する電子判定基準根拠書を有し、
当該測定箇所、基準値および判定値に関する情報は、端末機から書き換えることができないことを特徴とする請求項１記載の総合インテリジェント試験進行管理システム。
【請求項３】
試験対象の最新の電子設計図面を有する設計データベースをさらに備え、
ドキュメント管理データベースの電子要領書は、当該電子要領書が作成されたときの電子設計図面を含み、
端末機は、ドキュメント管理データベース内の電子要領書に含まれかつ端末機により読み出された電子設計図面が、設計データベースが有しかつ端末機により読み出された最新の電子設計図面に一致しているかを判定する整合性判定機能を有することを特徴とする請求項１記載の総合インテリジェント試験進行管理システム。
【請求項４】
設計データベースが有する最新の電子設計図面は改訂番号を有し、
ドキュメント管理データベース内の電子要領書に含まれた電子設計図面は改訂番号を有し、
端末機は、設計データベースから最新の電子設計図面の改訂番号を読み出すとともに、ドキュメント管理データベースから電子要領書に含まれた電子設計図面の改訂番号を読み出し、
端末機の整合性判定機能は、設計データベースから読み出された最新の電子設計図面の改訂番号と、ドキュメント管理データベースから読み出された電子要領書に含まれた電子設計図面の改訂番号とが一致しているかを判定することを特徴とする請求項３記載の総合インテリジェント試験進行管理システム。
【請求項５】
端末機は、データ送受信技術を用いて、ドキュメント管理データベースから電子要領書が有する判定値を読み出すことを特徴とする請求項２記載の総合インテリジェント試験進行管理システム。
【請求項６】
端末機は、試験結果に基づいて端末機に入力された測定値と、ドキュメント管理データベースから読み出された電子要領書が有する判定値と、を比較して自動判定することを特徴とする請求項５記載の総合インテリジェント試験進行管理システム。
【発明の詳細な説明】
【技術分野】
【０００１】
本発明は、制御盤などの試験対象を試験する際に用いられる総合インテリジェント試験進行管理システムに関する。
【背景技術】
【０００２】
発電所等の現場における制御盤などの試験は、設計図面通りの回路構成で正常に動作することを確認している。
【０００３】
この際使用している図書には、図６に示すように、作業要領書７６と設計図面７７とがある。現状、図６に示すように、作業責任者Ｗｂおよび作業担当者Ｗａが紙で印刷した作業要領書７６と設計図面７７を現場に持って行き、作業責任者Ｗｂが試験結果を作業要領書７６に手書きで記入し、作業担当者Ｗａが当該作業要領書７６に基づいて建設所オフィスに戻ってからパソコン入力によって品質記録７６ｃ（図７参照）を作成している。
【０００４】
最初に、制御盤８５の従来の試験方法の実施例について図６を参照して説明する。
【０００５】
まず、作業責任者Ｗｂが、作業前に作成した作業要領書７６に基づき、作業担当者Ｗａへ、制御盤８５内の端子台８６に模擬信号リード線８９を接続するよう指示する。次に、作業担当者Ｗａが、作業責任者Ｗｂの指示に従い、制御盤８５の端子台８６に模擬信号リード線８９を接続する。次に、作業責任者Ｗｂが、作業担当者Ｗａに発生器８７で模擬入力操作を行うように指示する。次に、作業担当者Ｗａが、作業責任者Ｗｂの指示に従い、発生器８７で模擬入力操作を行う。次に、作業担当者Ｗａが、制御盤８５内の指示計器８１の値を目視で読み取り、作業責任者Ｗｂへ読み取り値を連絡する。次に、作業責任者Ｗｂが、作業要領書７６に読み取り値を手書きで記入する。次に、作業責任者Ｗｂが、作業要領書７６に予め記載されている判定基準値と、作業要領書７６に記入した読み取り値とを照合し、判定基準値内であるか否かを確認する。
【０００６】
次に、従来の品質記録７６ｃの作成例について図７を参照して説明する。
【０００７】
まず、作業担当者Ｗａが、試験結果の記入された作業要領書７６を、パソコン７９を使って電子データ化する。次に、作業担当者Ｗａが、電子データ化された試験結果を、試験成績書７６ａとしてプリンターを使って印刷する。次に、作業担当者Ｗａが、印刷した試験成績書７６ａの内容を確認した後、作業責任者Ｗｂに上覧を依頼する。次に、作業責任者Ｗｂが、試験成績書７６ａの内容を確認した後、承認行為を行う。その後、作業責任者Ｗｂが、顧客へ提出する。
【０００８】
次に、顧客担当者Ｃａが、試験成績書７６ａの内容を確認し、顧客責任者Ｃｂへ上覧を依頼する。次に、顧客責任者Ｃｂが、試験成績書７６ａの内容を確認した後、承認行為を行う。その後、顧客責任者Ｃｂが、試験成績書７６ａを作業担当者Ｗａに返却する。
【０００９】
次に、作業担当者Ｗａが、返却された試験成績書７６ａを取りまとめて、試験報告書７６ｂを作成した後、作業責任者Ｗｂに上覧を依頼する。次に、作業責任者Ｗｂが試験報告書７６ｂの承認行為を行う。そして、作業責任者Ｗｂが、全ての試験報告書７６ｂの承認が完了した時点で、作業担当者Ｗａに品質記録７６ｃの作成を依頼する。そして、作業担当者Ｗａは、作業責任者Ｗｂからの依頼を受けて、品質記録７６ｃを作成する。作業担当者Ｗａは、品質記録７６ｃの作成が完了したら、作業責任者Ｗｂに上覧を依頼する。次に、作業責任者Ｗｂは、品質記録７６ｃの承認行為を行った後、完成した品質記録７６ｃを、作業担当者Ｗａに返却１０する。
【００１０】
次に、作業担当者Ｗａが、品質記録７６ｃをコピーし、品質記録のコピー７６ｃ’を顧客へ提出する。
【発明の開示】
【発明が解決しようとする課題】
【００１１】
上述した、従来の試験方法ならびに品質記録７６ｃの作成方法では、一連のプロセスに紙が用いられているので、試験成績書７６ａの作成から品質記録のコピー７６ｃの作成までに時間がかかるだけでなく、試験成績書７６ａ、試験報告書７６ｂおよび品質記録７６ｃなどを紛失するおそれがある。
【００１２】
また、上述した従来の品質記録７６ｃの作成方法では、建設所オフィスに戻ってから、パソコン入力で試験成績書７６ａを作成しているので、試験結果の入力ミス（ヒューマンエラー）が発生するおそれがある。
【００１３】
本発明は、このような点を考慮してなされたものであり、制御盤などを試験する際に用いられ、試験結果を迅速かつ正確に記録し、試験結果を容易に管理することができるとともに、ペーパレス化を促進することができる総合インテリジェント試験進行管理システムを提供することを目的とする。
【課題を解決するための手段】
【００１４】
本発明は、試験対象を試験する手順を示した電子要領書を有するドキュメント管理データベースと、
ドキュメント管理データベース内の電子要領書を読み出して表示するとともに、試験対象の試験結果を入力できる端末機と、
端末機と送受信することができ、端末機から入力された試験結果が自動的に保存される品質記録管理サーバと、
を備えたことを特徴とする総合インテリジェント試験進行管理システムである。
【００１５】
本発明は、ドキュメント管理データベースが、試験対象の測定箇所、測定箇所に対応した基準値、および基準値から所定の数値範囲内にある判定値に関する情報を有する電子判定基準根拠書を有し、
当該測定箇所、基準値および判定値に関する情報が、端末機から書き換えることができないことを特徴とする総合インテリジェント試験進行管理システムである。
【００１６】
本発明は、試験対象の最新の電子設計図面を有する設計データベースをさらに備え、
ドキュメント管理データベースの電子要領書が、当該電子要領書が作成されたときの電子設計図面を含み、
端末機が、ドキュメント管理データベース内の電子要領書に含まれかつ端末機により読み出された電子設計図面が、設計データベースが有しかつ端末機により読み出された最新の電子設計図面に一致しているかを判定する整合性判定機能を有することを特徴とする総合インテリジェント試験進行管理システムである。
【００１７】
本発明は、設計データベースが有する最新の電子設計図面が改訂番号を有し、
ドキュメント管理データベース内の電子要領書に含まれた電子設計図面が改訂番号を有し、
端末機が、設計データベースから最新の電子設計図面の改訂番号を読み出すとともに、ドキュメント管理データベースから電子要領書に含まれた電子設計図面の改訂番号を読み出し、
端末機の整合性判定機能が、設計データベースから読み出された最新の電子設計図面の改訂番号と、ドキュメント管理データベースから読み出された電子要領書に含まれた電子設計図面の改訂番号とが一致しているかを判定することを特徴とする総合インテリジェント試験進行管理システムである。
【００１８】
本発明は、端末機が、データ送受信技術を用いて、ドキュメント管理データベースから電子要領書が有する判定値を読み出すことを特徴とする総合インテリジェント試験進行管理システムである。
【００１９】
本発明は、端末機が、試験結果に基づいて端末機に入力された測定値と、ドキュメント管理データベースから読み出された電子要領書が有する判定値と、を比較して自動判定することを特徴とする総合インテリジェント試験進行管理システムである。
【発明の効果】
【００２０】
本発明によれば、試験対象を試験する手順を示した電子要領書を有するドキュメント管理データベースと、ドキュメント管理データベース内の電子要領書を読み出して表示するとともに、試験対象の試験結果を入力できる端末機と、端末機から入力された試験結果が自動的に保存される品質記録管理サーバと、を備えた総合インテリジェント試験進行管理システムによって、制御盤などの試験結果を迅速かつ正確に記録し、試験結果を容易に管理することができるとともに、ペーパレス化を促進することができる。
【発明を実施するための形態】
【００２１】
実施の形態
以下、本発明に係る総合インテリジェント試験進行管理システムの実施の形態について、図面を参照して説明する。ここで、図１乃至図５は本発明の実施の形態を示す図である。
【００２２】
図１に示すように、総合インテリジェント試験進行管理システムは、制御盤（試験対象）８５（図５参照）を試験する手順を示した電子要領書７１と、試験対象の測定箇所、測定箇所に対応した基準値、および基準値から所定の数値範囲内にある判定値に関する情報を有する電子判定基準根拠書７２とを有するドキュメント管理データベース２と、試験対象の最新の電子設計図面７３と当該試験対象の電子仕様書７４とからなる電子設計図書７５を有する設計データベース４とを備えている。
【００２３】
そして、これらドキュメント管理データベース２および設計データベース４は、本社オフィス１のサーバ（図示せず）内に設置されている。そして、このサーバは、本社オフィス１の社内ネットワーク３に接続されている。
【００２４】
ここで、図１に示す設計データベース４は、電子設計図面７３ならびに電子仕様書７４のデータを読み出すことができるサーバとして機能する。また、図１に示すドキュメント管理データベース２は、電子要領書７１と判定基準根拠書とを永久保存することができるサーバとして機能する。
【００２５】
また、図１において、電子要領書７１は、当該電子要領書７１が作成されたときに用いられていた電子設計図面（図示せず）を含んでいる。そして、この電子設計図面は改訂番号（図示せず）を有している。また、設計データベース４が有する最新の電子設計図面７３も、改訂番号を有している（図３参照）。
【００２６】
また、図１に示すように、現場１０の各所には、社内ネットワーク３に接続された無線アンテナ１１が設けられている。そして、この無線アンテナ１１は、現場試験員Ｔが使用するタブレットＰＣ（端末機）１５と、データ送受信技術(ＰＨＳ、無線ＬＡＮ、ＤＳＬなど)によってデータを送受信することができる。
【００２７】
なお、このタブレットＰＣ１５は、ドキュメント管理データベース２内の電子要領書７１を読み出して表示するとともに、試験対象の試験結果（測定値など）を入力することができる。また、ドキュメント管理データベース２内の電子判定基準根拠書７２が有する測定箇所、基準値および判定値に関する情報は、タブレットＰＣ１５から書き換えることができない。
【００２８】
また、このタブレットＰＣ１５は、無線アンテナ１１とのデータの送受信によって、社内ネットワーク３にオンラインで接続された設計データベース４内の電子設計図書７５やドキュメント管理データベース２内の電子要領書７１などを表示するとともに、所定の情報（測定値など）を入力することができる表示入力画面４０を有している（図２および図３参照）。
【００２９】
具体的には、図２に示すように、タブレットＰＣ１５の表示入力画面４０は、基本情報にあたる試験日、試験者、測定器名称、管理番号および校正期限を表示する試験日の欄４６、試験者の欄４７、測定器名称の欄４８、管理番号の欄４９および校正期限の欄５０と、データ部にあたる測定箇所、基準値、判定値、測定値および判定を表示する測定箇所の欄４１、基準値の欄４２、判定値の欄４３、測定値の欄４４、判定の欄４５とを表示することができる。
【００３０】
なお、タブレットＰＣ１５の表示入力画面４０の判定値の欄４３に表示される判定値は、一元管理されたドキュメント管理データベース２内の電子判定基準根拠書７２に基づくものである。また、タブレットＰＣ１５の表示入力画面４０には、判定の欄４５に判定結果を表示する際に押圧する判定ボタン５１が表示されている。
【００３１】
また、図３に示すように、タブレットＰＣ１５の表示入力画面４０は、設計データベース４内の電子設計図書７５から読み出される、設計図書名称、図面番号、図面発行日および改定番号を表示する設計図書名称の欄６１、図面番号の欄６２、図面発行日の欄６３、改定番号の欄６４を表示することができる。
【００３２】
ところで、現場試験員Ｔなどによって設計図書名称の欄６１が選択されると、タブレットＰＣ１５の表示入力画面４０には、選択された電子設計図面７３の具体的な内容が表示される（図３参照）。
【００３３】
また、タブレットＰＣ１５は、データ送受信技術を用いて、ドキュメント管理データベース２の電子判定基準根拠書７２から判定値の欄４３に判定値を読み出すとともに、この判定値と試験結果に基づいて測定値の欄４４に入力された測定値と比較して自動判定することができる（図２参照）。
【００３４】
また、タブレットＰＣ１５は、ドキュメント管理データベース２内の電子要領書７１に含まれた電子設計図面が、設計データベース４が有する最新の電子設計図面７３に一致しているかを判定する整合性判定機能（図示せず）を有している（図１参照）。
【００３５】
具体的には、このタブレットＰＣ１５が、データ送受信技術を用いて、設計データベース４から最新の電子設計図面７３の改訂番号を読み出すとともに、電子要領書７１に含まれた電子設計図面の改訂番号を読み出し、タブレットＰＣ１５の整合性判定機能が、電子要領書７１に含まれた電子設計図面の改訂番号が最新の電子設計図面７３の改訂番号と一致しているかを判定する。
【００３６】
また、図１に示すように、建設所オフィス２０のサーバ（図示せず）内には、タブレットＰＣ１５と送受信することができ、タブレットＰＣ１５の測定値の欄４４にペンなどによって入力された測定値を自動的に保存するとともに、試験進捗をリアルタイムに表示する品質記録管理サーバ２２と、作業担当者Ｗａおよび作業責任者Ｗｂが試験結果（試験成績書）の承認行為を行う電子承認システム（社内）２１と、インターネット網２９に接続されたＷｅｂサーバ２３とが設置されている。
【００３７】
また、図１に示すように、建設所オフィス２０のサーバと本社オフィス１のサーバとは、社内ネットワーク３を介して接続されている。このため、社内ネットワーク３を用いて、本社オフィス１のサーバと建設所オフィス２０のサーバとの間のデータのやり取りを行うことができる。
【００３８】
また、図１に示すように、顧客オフィス３０には、インターネット網２９に接続されたＷｅｂサーバ３１と、顧客担当者Ｃａおよび顧客責任者Ｃｂが試験結果に関する品質記録７６ｃ（図７参照）の承認行為を行うことができる電子承認システム（客先）３２とが設置されている。また、これらＷｅｂサーバ３１および電子承認システム（客先）３２は、顧客ネットワーク３３内に設置されている。
【００３９】
次に、このような構成からなる本実施の形態の作用について述べる。
【００４０】
まず、現場試験員Ｔが、タブレットＰＣ１５において、ドキュメント管理データベース２から試験対象を試験する手順を示した電子要領書７１を読み出して表示することを選択する（図１および図４参照）。
【００４１】
このとき、タブレットＰＣ１５が、データ送受信技術を用いて、設計データベース４から最新の電子設計図面７３の改訂番号を読み出すとともに、電子要領書７１に含まれた電子設計図面の改訂番号を読み出し、タブレットＰＣ１５の整合性判定機能が、電子要領書７１に含まれた電子設計図面の改訂番号が最新の電子設計図面７３の改訂番号と一致しているかを判定する（図３および図４参照）。
【００４２】
そして、電子要領書７１に含まれた電子設計図面の改訂番号と最新の電子設計図面７３の改訂番号が一致している場合には、タブレットＰＣ１５の表示入力画面４０に作業許可のメッセージが表示される（図４参照）。
【００４３】
他方、電子要領書７１に含まれた電子設計図面の改訂番号と最新の電子設計図面７３の改訂番号が一致していない場合には、タブレットＰＣ１５に、作業禁止のメッセージが画面上に表示される（図４参照）。
【００４４】
この場合には、本社オフィス１の作業者が、電子要領書７１に含まれた電子設計図面を最新の電子設計図面７３に改訂する。次に、現場試験員ＴがタブレットＰＣ１５によって改定作業が完了したかの判定を行う。そして、電子要領書７１に含まれた電子設計図面が最新の電子設計図面７３に改訂されていれば、上述の工程が再度繰り返され、タブレットＰＣ１５の表示入力画面４０に作業許可のメッセージが表示される（図１および図４参照）。
【００４５】
上述のように、タブレットＰＣ１５の表示入力画面４０に作業許可のメッセージが表示されると、現場試験員Ｔは作業を開始する（図４参照）。
【００４６】
上述のように、タブレットＰＣ１５の整合性判定機能によって、電子要領書７１に含まれた電子設計図面が最新の電子設計図面７３になっているかを確認することができるので、現場試験員Ｔは確実に最新の電子設計図書７５を用いて作業することができる。
【００４７】
次に、現場試験員Ｔが、タブレットＰＣ１５に表示された電子要領書７１に従って、制御盤８５の端子台８６に模擬信号リード線８９を接続する（図５参照）。
【００４８】
次に、現場試験員Ｔが発生器８７で模擬入力操作を行う。次に、現場試験員Ｔが制御盤８５内の指示計器８１の値を目視で読み取る（図５参照）。そして、現場試験員Ｔが、試験結果をタブレットＰＣ１５の表示入力画面４０の測定値の欄４４にペンによって入力した後、判定ボタン５１を押圧する（図２および図５参照）。
【００４９】
このことにより、タブレットＰＣ１５が、測定値の欄４４に入力された測定値を判定値に対して自動判定し、判定の結果を表示入力画面４０の判定の欄４５に自動表示する（図２参照）。なお、タブレットＰＣ１５の表示入力画面４０の判定値の欄４３に表示される判定値は、一元管理されたドキュメント管理データベース２内の電子判定基準根拠書７２に基づくものである。
【００５０】
また、図１において、ドキュメント管理データベース２内の電子判定基準根拠書７２が有する測定箇所、基準値および判定値に関する情報は、タブレットＰＣ１５から書き換えることができない。このため、これらの情報が改ざんされることを防止することができ、情報セキュリティを向上させることができる。
【００５１】
このとき、図１において、現場試験員Ｔによって入力された測定値や判定の結果などの試験結果は、建設所オフィス２０内の品質記録管理サーバ２２に自動保存される。このため、従来のように、作業担当者Ｗａが、試験結果の記入された作業要領書７６をパソコン２で電子データ化する必要がないので、電子データ化する際に発生する入力ミスを防止することができ、試験結果に関する品質記録７６ｃを迅速かつ正確に記録することができる（図７参照）。また、このように、試験結果に関する品質記録７６ｃが品質記録管理サーバ２２に自動保存されるので、品質記録７６ｃを容易に管理することができる。
【００５２】
また、図１に示すように、建設所オフィス２０に電子承認システム（社内）２１が設置されている。このため、作業担当者Ｗａは、当該電子承認システム（社内）２１を用いることによって、試験結果に関する品質記録７６ｃ（図７参照）を印刷することなく、作業責任者Ｗｂから承認を得ることができる。
【００５３】
また、図１に示すように、建設所オフィス２０内のサーバと、顧客オフィス３０内の電子承認システム（客先）３２とが、Ｗｅｂサーバ２３，３１およびインターネット網２９を介して接続されている。このため、顧客担当者Ｃａは自己のＰＣの画面上で試験結果に関する品質記録７６ｃ（図７参照）を確認することができる。
【００５４】
また、図１に示すように、顧客オフィス３０に電子承認システム（客先）３２が設置されているので、顧客責任者Ｃｂは自己のＰＣの画面上で試験結果に関する品質記録７６ｃ（図７参照）を確認し承認することができる。
【００５５】
上述のように、本実施の形態によれば、現場試験員Ｔによる試験結果の入力、作業責任者Ｗｂによる試験結果の承認などに紙を使用することがないので、ペーパレス化を促進することができる。
【図面の簡単な説明】
【００５６】
【図１】本発明の実施の形態による総合インテリジェント試験進行管理システムを示す構成図。
【図２】本発明の実施の形態による総合インテリジェント試験進行管理システムの表示入力画面における表示の一例を示す構成図。
【図３】本発明の実施の形態による総合インテリジェント試験進行管理システムの表示入力画面における表示の他の例を示す構成図。
【図４】本発明の実施の形態による総合インテリジェント試験進行管理システムにおいて、電子要領書に含まれた電子設計図面の改訂番号が最新の電子設計図面の改訂番号と一致しているかを判定する方法を示すフロー図。
【図５】本発明の実施の形態による総合インテリジェント試験進行管理システムにおいて、現場における試験の実施例を示す構成図。
【図６】従来の現場における試験の実施例を示す構成図。
【図７】従来の品質記録の作成例を示すフロー図。
【符号の説明】
【００５７】
１      本社オフィス
２      ドキュメント管理データベース
３      社内ネットワーク
４      設計データベース
１０    現場
１１    無線アンテナ
１５    タブレットＰＣ（端末機）
２０    建設所オフィス
２１    電子承認システム（社内）
２２    品質記録管理サーバ
２３    Ｗｅｂサーバ
２９    インターネット網
３０    顧客オフィス
３１    Ｗｅｂサーバ
３２    電子承認システム（客先）
３３    顧客ネットワーク
４０    表示入力画面
７１    電子要領書
７２    電子判定基準根拠書
７３    電子設計図面
７４    電子仕様書
７５    電子設計図書
７６    作業要領書
７６ａ  試験成績書
７６ｂ  試験報告書
７６ｃ  品質記録
７７    設計図面
８１    指示計器
８５    制御盤
８６    端子台
８７    発生器
８９    模擬信号リード線
Ｃａ    顧客担当者
Ｃｂ    顧客責任者
Ｔ      現場試験員
Ｗａ    作業担当者
Ｗｂ    作業責任者
【図１】
2008204379.tif 000003
【図２】
2008204379.tif 000004
【図３】
2008204379.tif 000005
【図４】
2008204379.tif 000006
【図５】
2008204379.tif 000007
【図６】
2008204379.tif 000008
【図７】
2008204379.tif 000009